(57)【要約】【課題】爪甲を簡便に削ぎ落として整形できる爪整形具、中でも鉤わん爪の整形に好適な爪整形具を提供する。【解決手段】Ｘ字状に組まれて軸３で交差揺動可能に連結される一対の挟み体１・２を備えている。両挟み体１・２は、軸３の一側に設けられる握り柄４・５と、軸３の他側に設けられる作用腕６・７とを含む。両作用腕６・７の対向面の一方には、爪先ないし指先を受け止める受部１１が形成されており、他方には削り刃１２が形成されている。受部１１は、一方の作用腕６に装着固定したプラスチック製の受ブロック１４で構成する。受ブロック１４の爪受面１５は凹凸面で形成する。以て、爪甲の盛り上がり部分を削り刃１２で爪基端側から爪先へ向かって削ぎ落とす。【選択図】図１
2006020759.tif 000002
【特許請求の範囲】
【請求項１】
Ｘ字状に組まれて軸３で交差揺動可能に連結される一対の挟み体１・２を備えており、
両挟み体１・２は、軸３の一側に設けられる握り柄４・５と、軸３の他側に設けられる作用腕６・７とをそれぞれ含み、
両作用腕６・７の対向面の一方にＨ、爪先ないし指先を受け止める受部１１が形成されており、
両作用腕６・７の対向面の他方には、削り刃１２が形成されており、
削り刃１２で爪甲の盛り上がり部分を爪基端側から爪先へ向かって削ることができるようにした爪整形具。
【請求項２】
削り刃１２と対向する受部１１の爪受面１５が、凹凸面に形成されている請求項１記載の爪整形具。
【請求項３】
削り刃１２における爪受面１５との対向縁に形成された子刃１２ｂが、連続山形状に形成されている請求項１または２記載の爪整形具。
【請求項４】
受部１１が、一方の作用腕６に装着したプラスチック製の受ブロック１４で構成されている請求項１記載の爪整形具。
【発明の詳細な説明】
【技術分野】
【０００１】
本発明は、病変などによって爪の甲が分厚く盛り上がった部分（鉤わん爪）を除去し整形するのに好適な爪整形具に関する。
【背景技術】
【０００２】
例えば、爪水虫（爪白癬）に罹った足の爪は、爪甲（爪の甲部分）が分厚く盛り上がって変色し「鉤わん爪」と称される状態になる。この鉤わん爪を治療する際には、爪甲の盛り上がり部分を削って平坦にし、その平坦部分に治療薬を塗布して爪内面側へ浸透させることになる。従来は、盛り上がり部分を爪用のやすりで削ることにより、爪甲を薄く平坦に整形していた。因みに、一般に使用される喰切り型の爪切りや、ニッパー形の爪切り（特許文献１）では、大きく盛り上がった鉤わん爪を一対の切刃の間に挟むこと、これ自体が困難なため、鉤わん爪を除去する用途には供し得ない。
【特許文献１】特開２０００−５０９４２号公報（段落番号０００８、図１）
【発明の開示】
【発明が解決しようとする課題】
【０００３】
しかし、やすりで鉤わん爪を削り落とす上記の整形作業は、盛り上がり部分の除去に多くの時間と手間とが掛かるうえ、やすりで盛り上がり部分を削り落とす際に、病変した爪の粉が周辺に飛散する。
【０００４】
そこで、本発明の目的は、爪甲の盛り上がり部分を鉋で削るようにして除去できる、鉤わん爪の整形に好適な爪整形具を提供することにある。本発明の目的は、爪甲の盛り上がり部分を簡便に除去して整形できる爪整形具を提供することにある。
【０００５】
本発明の爪整形具は、Ｘ字状に組まれて軸３で交差揺動可能に連結される一対の挟み体１・２を備えている。両挟み体１・２は、軸３の一側に設けられる握り柄４・５と、軸３の他側に設けられる作用腕６・７とをそれぞれ含む。両作用腕６・７の対向面の一方には、爪先ないし指先を受け止める受部１１が形成され、他方には削り刃１２が形成されており、削り刃１２で爪甲の盛り上がり部分を爪基端側から爪先へ向かって削ることができるようにしたものである。
【０００６】
削り刃１２と対向する受部１１の爪受面１５は、凹凸面に形成することができる。削り刃１２における爪受面１５との対向縁に形成された子刃１２ｂは、連続山形状に形成することができる。受部１１は、一方の作用腕６に装着固定したプラスチック製の受ブロック１４で構成することができる。
【発明の効果】
【０００７】
本発明の爪整形具によれば、使用時に、爪先ないし指先を受部１１で受け止め、削り刃１２を爪基端側から爪先へ向かって移動させることにより、爪甲の盛り上がり部分を削り刃１２で削ぎ落としながら除去できる。したがって、やすりで盛り上がり部分を削っていた従来の整形作業に比べて、爪の整形が簡便に、しかも短時間で行える。整形作業時に病変した爪の粉が周辺に飛散するのも解消でき、鉤わん爪の整形に好適である。
【０００８】
受部１１の爪受面１５が、凹凸面に形成された爪整形具によれば、爪先ないし指先を爪受面１５で受け止めた状態において、受部１１が爪や指先に沿って滑るのを防止して、爪整形具を爪に対して確りと保持固定でき、より安定した状態で爪整形作業を行うことができる。
【０００９】
削り刃１２の子刃１２ｂが連続山形状に形成されていると、削り刃１２を爪甲の盛り上がり部分に対して食い込ませやすい。したがって、爪甲の盛り上がり部分を削り刃１２でさらに適確に削ぎ落として、爪の整形を迅速に行える。
【００１０】
作用腕６に装着したプラスチック製の受ブロック１４で受部１１が構成されていると、外形形状や大きさなどが異なる複数種の受ブロック１４を用意しておくことにより、受ブロック１４部分の大きさや形状が異なる爪整形具を簡単にシリーズ化できるうえ、挟み体１・２を共用できる分だけ、シリーズ商品化した爪整形具を低コストで提供できる。爪先や指先に対する爪受面１５の当りが柔らかになる利点もある。
【発明を実施するための最良の形態】
【００１１】
（実施例１）  図１ないし図４は本発明に係る爪整形具の実施例１を示す。図２に示すように、爪整形具は、Ｘ字状に組まれて軸３で交差揺動可能に連結した一対の挟み体１・２で鋏のように構成する。両挟み体１・２は、軸３の一側に設けられる握り柄４・５と、軸３の他側に設けられる作用腕６・７とをそれぞれ備えている。
【００１２】
一対の挟み体１・２を軽快に開閉するために、握り柄４・５は、裁ち鋏の握り部分と同様の涙滴リング状に形成してあって、リング部分に親指と残る四指とを差し込むことができる。リング部分の外面にはプラスチック製のグリップ８を被覆してある。より小さな操作力で爪を削るために、リング部分の直線辺部のほぼ中央に操作力が作用すると想定するとき、操作力の作用点から軸３の中心までの長さは、作用腕６・７の先端から軸３の中心までの長さの約３倍に設定してある。
【００１３】
図４において各作用腕６・７は、それぞれ挟み体１・２の交差平面を越えて折り曲げ形成されており、一方の作用腕６には爪先端縁を受け止める受部１１が形成され、他方の作用腕７には爪甲の盛り上がり部分を削る削り刃１２が形成されている。この実施例では、作用腕６の先端に装着した受ブロック１４で受部１１を構成した。
【００１４】
受ブロック１４は、断面コ字状のポリアセタール製の成形品であり、削り刃１２と対向する壁面に爪先や指先を受け止めるための爪受面１５を有する。滑り止めのために、爪受面１５は連続山形の条歯群からなる凹凸面に形成した。作用腕６と、これに装着の受ブロック１４とは、リベット１６で分離不能に締結されている。
【００１５】
図３において削り刃１２は、爪受面１５へ向かって下り傾斜する削り刃１２ａと、これの先端側の小刃１２ｂとを含み、その反対面側が平坦な片刃構造を採る。図１において小刃１２ｂは直線状に形成してある。なお、ここでの爪整形具は、右利き用を示しており、左利き用の場合には、受部１１と削り刃１２とを左右逆に配置すればよい。図８は爪整形具の外観を示す。
【００１６】
使用時には、まず鉤わん爪の爪先を削り刃１２と受部１１とで上下に挟んで直線状に切断する。鉤わん爪は病変によって爪の成分であるケラチンの状態がもろくなっており、削り刃１２と受部１１とで爪先を挟むことができさえすれば、片方の削り刃１２のみで爪先を問題なく切断できる。もちろん、ニッパー型や喰い切り型の爪切りを用いて、爪先を直線状に切断してもよい。このように、爪先を直線状に切断することにより、爪受面１５を爪先の切断面に確りとあてがうことができる。
【００１７】
図３に示すように、爪受面１５を爪先にあてがった状態で、削り刃１２を爪甲の盛り上がり部分に食い込ませながら爪基端側から爪先へ向かって移動させて、恰も鉋で木材を削るのと同様にして、爪表面を削り刃１２で削り取る。多くの場合は、削り刃１２が食い込む位置を少しずつずらしながら盛り上がり部分を除去して、爪甲をできるだけ薄く整形する。このように、削り刃１２で爪表面を削ぎ落としながら整形すると、やすりで鉤わん爪を削り落とす場合とは異なり、病変した爪の粉が周りに飛散することはないし、盛り上がり部分をより短い時間で効果的に除去できる。
【００１８】
（実施例２）  図５は本発明に係る爪整形具の実施例２を示しており、削り刃１２の小刃１２ｂが連続山形状に形成されていて、盛り上がり部分に対する削り刃１２の食い込みを良くして、削り刃１２が爪表面に沿って滑るのを防止した。他は実施例１と同じであるので、同じ部材には同じ符号を付してその説明を省略する。以下の実施例においても同様に扱う。
【００１９】
（実施例３）  図６は本発明に係る爪整形具の実施例３を示しており、前記受ブロック１４を省略して、作用腕６の削り刃１２との対向面に爪受面１５を直接に設けた。この爪受面１５は、実施例１と同様に、連続山形の条歯群からなる凹凸面で形成した。
【００２０】
（実施例４）  図７は本発明に係る爪整形具の実施例４を示しており、基本的には実施例３の爪整形具と同じであるが、実施例２と同様に、削り刃１２の小刃１２ｂを連続山形状に形成して、削り刃１２の食い込みを良くした。
【００２１】
上記の実施例以外に、爪受面１５の滑り止め構造は条歯群で構成するする必要はなく、やすりの表面のような凹凸面で形成してもよい。爪の断面は上凸状に湾曲しているが、削り刃１２はこの爪の断面形状に沿わせて上凸状に湾曲形成することができる。小刃１２ｂは直線状に形成することが好ましいが、必要があれば凹曲状に湾曲形成してもよい。受ブロック１４は、爪先と同時に指先を受け止める構造にすることができる。作用腕６に削り刃１２と同様の切刃を形成しておき、切刃部分に受ブロック１４を着脱可能に装着することができる。一対の挟み体１・２は、握り柄４・５間に配置したばねで開き付勢することができる。握り柄４・５はリング構造にする必要はなく、ニッパーと同様のハンドル構造にしてもよい。
【図面の簡単な説明】
【００２２】
【図１】実施例１の爪整形具の作用腕の構造を示す正面図
【図２】実施例１の爪整形具の正面図
【図３】実施例１の爪整形具の使用状態を示す断面図
【図４】実施例１の爪整形具の斜視図
【図５】実施例２の爪整形具を示す要部の正面図
【図６】実施例３の爪整形具を示す要部の正面図
【図７】実施例４の爪整形具を示す要部の正面図
【図８】実施例１の爪整形具の外観を示す六面図
【符号の説明】
【００２３】
１・２  挟み体
３  軸
４・５  握り柄
６・７  作用腕
１１  受部
１２  削り刃
１２ｂ  子刃
１４  受ブロック
１５  爪受面
【図１】
2006020759.tif 000003
【図２】
2006020759.tif 000004
【図３】
2006020759.tif 000005
【図４】
2006020759.tif 000006
【図５】
2006020759.tif 000007
【図６】
2006020759.tif 000008
【図７】
2006020759.tif 000009
【図８】
2006020759.tif 000010